(57)【要約】【課題】爪付き揺動レバーが中央歯車のラチェットに弾力で強力に圧接し、その状態が安定して保持されるために、殊に巻取りばねを弱くする微調整が容易となる網状ないし面状スクリーンの巻取りばねの調整装置を提供する。【解決手段】網状ないし面状スクリーンの巻取り装置において、収納枠の上端に、周壁を有するとともに前面に開放口を有する基盤と、その上又は下に重なる基プレートとを固着し、その間の空間に、中心軸が一体回転に接続する中央歯車が軸支され、中央歯車が大歯車とラチェット歯車とからなる複合歯車であって、さらに、前記空間には、この中央歯車の大歯車に噛み合う駆動用の小径の副歯車と、ラチェット歯車に係合する爪付きの揺動レバーとを軸支する一方、揺動レバーを前記ラチェット歯車との係合に付勢するコイル形の圧縮ばねを内装し、前記基盤に圧縮ばねが直に納まる収納室が形成され、揺動レバーの基端には前記開放口に露出する押しボタンが形成されていることを特徴とする。【選択図】    図２
2007247216.tif 000002
【特許請求の範囲】
【請求項１】
枠組体の一の枠がスクリーンの収納枠であって、収納枠にはスクリーンの巻取軸装置が内装され、その巻取軸装置は、スクリーンを巻き取る巻取筒と、その回転の中心軸との間に巻取りばねが介在され、巻取りばねの弾力に抗する中心軸に対する巻取筒の回転によりスクリーンが引き出され且つ弾力に伴う逆回転により巻き取られるようになしてある網状ないし面状スクリーンの巻取り装置において、収納枠の上端に、周壁を有するとともに前面に開放口を有する基盤と、その上又は下に重なる基プレートとを固着し、その間の空間に、中心軸が一体回転に接続する中央歯車が軸支され、中央歯車が大歯車とラチェット歯車とからなる複合歯車であって、さらに、前記空間には、この中央歯車の大歯車に噛み合う駆動用の小径の副歯車と、ラチェット歯車に係合する爪付きの揺動レバーとを軸支する一方、揺動レバーを前記ラチェット歯車との係合に付勢するコイル形の圧縮ばねを内装し、前記基盤に圧縮ばねが直に納まる収納室が形成され、揺動レバーの基端には前記開放口に露出する押しボタンが形成されていることを特徴とする網状ないし面状スクリーンの巻取りばねの調整装置。
【請求項２】
枠組体が収納枠とそれに対向する縦枠および上下枠とにより枠組みされ、巻取軸装置に巻き取られるスクリーンの端には縦枠と収納枠との間を移動可能に把手フレームが取り付けられ、収納枠の上端に固着されている前記基盤とそれに重なる基プレートとのうちの少なくとも一方に上枠に挿入される連結片が突設され、その連結片および下枠に対する連結ブロックとを介して枠組体に収納枠が組み外し可能に組み付けられ、収納枠にスクリーンの巻取軸装置および把手フレームを付属させたまま、その収納枠とともに脱着できるようにしてあることを特徴とする請求項１記載の網状ないし面状スクリーンの巻取りばねの調整装置。
【発明の詳細な説明】
【技術分野】
【０００１】
この発明は、防虫網や映写幕、遮蔽幕などの網状ないし面状スクリーンの巻取り装置における巻取りばねの調整装置に関する。
【背景技術】
【０００２】
防虫網や映写幕、遮蔽幕は、一般的に軸に巻き取って仕舞われ、巻き戻して（引き出して）張ることにより使用される。その手段として、スクリーンを張る枠組体の一端に巻取軸の収納枠が枠組みの一枠として設けられ、スクリーンの引き出し側の端に把手フレームが取り付けられ、それが枠組体に移動可能に内装される。また、巻き取りが自動的になされるようにするとともに、把手フレームを引くことによりスクリーンを張りに保持する必要から、収納枠においては、スクリーンの巻取筒とそれが回転する中心軸との間に巻取りばねが介在される巻取軸装置が内装される。
【０００３】
図９は、防虫網が張られる網窓について本出願人に係る従来例（特許文献１）を示したもので、網窓の枠組体Ｆの一端に収納枠８２を有し、その中に中心軸８４と巻取筒８６との間に巻取りばね９１が介在されてなる巻取軸装置８０が内装され、巻取筒８６には、上中下の軸承ブロック８８，８９，９０が嵌着され、上部軸承ブロック８８と中間軸承ブロック８９との間において、中心軸８４に巻取りばね９１が装着され、それが、上端では中心軸８４に留め金９２により固定され、下端では中間軸承ブロック８９に固定される。
【０００４】
防虫網９３は、把手フレーム９４で巻取りばね９１の弾力に抗して引き出されるため、この際に巻取りばね９１に蓄積された弾力（弾性エネルギー）により回転する巻取筒８６に防虫網９３が巻き取られる。巻取りばね９１の効き方が弱いと巻取りが中途で止まったり、防虫網９３の閉じの状態に緩みが生じたりする不都合があり、また、巻取りばね９１の効き方が強すぎると、防虫網９３が完全に閉じられなかったり、巻き取られる引っ込みが危ういまでに急速になるため、巻取りばね９１の効き方を弱めたり強めたりする調整装置９６が収納枠８２の上端に設けられていた。
【０００５】
その巻取りばねの調整装置９６については、中心軸８４と接続する中央歯車と、そのラチェットに掛かる爪付きの揺動レバーとを設け、その他に中央歯車と噛み合う小径の駆動用副歯車（中央歯車の回転に倍力を得るためのもの）と、揺動レバーを付勢するめに軸着されるピンばね等からなるもので、巻取りばねの力を強めるときには中央歯車をその方向に回転し、弱めるときには揺動レバーの解除で中央歯車を適度なまで逆回転させるという構造になっていた。
【特許文献１】特願２００５−０４６９５０
【発明の開示】
【発明が解決しようとする課題】
【０００６】
しかしながら、上記のような従来の網状ないし面状スクリーンの巻取りばねの調整装置によれば、ピンばねの弾力が弱く、また、軸着が不安定であるために、殊に、ピンばねの弾力に抗して揺動レバーを解除したときには、復帰が遅れるために、ラチェットの一コマずつの送りができなく進みすぎとなって、中心軸が過剰に回転することになることがあったりして、調整を微妙になし難いという問題があった。
【０００７】
この発明は、上記のような実情から、爪付き揺動レバーが中央歯車のラチェットに弾力で強力に圧接し、その状態が安定して保持されるために、殊に巻取りばねを弱くする微調整が容易となる網状ないし面状スクリーンの巻取りばねの調整装置を提供することを課題とした。
【課題を解決するための手段】
【０００８】
上記の課題を解決するために、この発明は、枠組体の一の枠がスクリーンの収納枠であって、収納枠にはスクリーンの巻取軸装置が内装され、その巻取軸装置は、スクリーンを巻き取る巻取筒と、その回転の中心軸との間に巻取りばねが介在され、巻取りばねの弾力に抗する中心軸に対する巻取筒の回転によりスクリーンが引き出され且つ弾力に伴う逆回転により巻き取られるようになしてある網状ないし面状スクリーンの巻取り装置において、収納枠の上端に、周壁を有するとともに前面に開放口を有する基盤と、その上又は下に重なる基プレートとを固着し、その間の空間に、中心軸が一体回転に接続する中央歯車が軸支され、中央歯車が大歯車とラチェット歯車とからなる複合歯車であって、さらに、前記空間には、この中央歯車の大歯車に噛み合う駆動用の小径の副歯車と、ラチェット歯車に係合する爪付きの揺動レバーとを軸支する一方、揺動レバーを前記ラチェット歯車との係合に付勢するコイル形の圧縮ばねを内装し、前記基盤に圧縮ばねが直に納まる収納室が形成され、揺動レバーの基端には前記開放口に露出する押しボタンが形成されていることを特徴とする網状ないし面状スクリーンの巻取りばねの調整装置を提供する。
【０００９】
網状ないし面状スクリーンの巻取り装置を上記のように構成したから、スクリーンを引き出すと、巻取軸装置において巻取筒が回転することにより中心軸との間の巻取りばねに弾力が蓄積され、スクリーンの張りを解放すると、その蓄積弾力により巻取筒が逆回転してスクリーンが巻き取られる。そこで、張り及び巻取りが十分でないことから巻取りばねが弱いと知ったときには、副歯車で中央歯車を駆動し巻取りばねを巻く方向に中心軸を回転する。そして適度の箇所で停止するとラチェット歯車と揺動レバーの爪との係合によりその停止が保持される。また、スクリーンが完全に閉じないとか、巻きが早すぎるときには、揺動レバーを解除すると、中心軸が巻取りばねの弾力で弱に戻る。このいずれの場合も、揺動レバーの爪がラチェット歯車に付勢されているために、中心軸が調整位置で確実に停止するが、付勢しているのは、強力なコイルばねとしての圧縮ばねであり、しかも、それが収納室に納まっているので、安定して強力に作用することから、調整が確実となり、殊に、巻取りばねを弱めるときには、ラチェットを一コマ送りを容易になしエラー無く微妙な調整ができる。
【発明の効果】
【００１０】
以上説明したように、この発明によれば、爪付きの揺動レバーをラチェット歯車に付勢する力として、コイルばねとしての圧縮ばねを使用し、それを収納室に収めて装着したので、コイルばねが強力に作用することから、ラチェットの一コマ送りが確実となり、殊に、巻取りばねを弱めるときの適正な調整を確実になし得るという優れた効果がある。
【００１１】
さらに、請求項２の如く構成すると、枠組体から収納枠を組み外したときには、調整装置およびそれに関係する巻取軸装置やスクリーン、把手フレームが付属して外されることになるため、収納枠を外した状態において、掃除ばかりでなく、巻取りばねの調整を都合良くなし得る。
【発明を実施するための最良の形態】
【００１２】
図面は、この発明を網戸ないし網窓に実施した形態を示したものであるが、映写幕や遮蔽幕などについても同様に実施することがきる。
【００１３】
図１は、網窓のほゞ全体を示す一部切欠した正面図であって、その枠組体Ｆは、一端に縦枠として蓋５付きの収納枠１を有し、その上端に巻取りばねの調整装置Ｐが装備される。なお、収納枠１に上下枠２，３が連結され、他端に縦枠４を有する。また、防虫網９の端に把手フレーム７が取り付けられ、それが上下枠２，３の双方に移動可能に係合される。さらに、収納枠１には、防虫網９の巻取軸装置１１が内装され、それが上端では巻取りばねの調整装置Ｐに、下端では下部連結ブロック１５にそれぞれ軸支される。なお、上枠２と下枠３に対する収納枠１の連結は、巻取りばねの調整装置Ｐを構成する後記部材と、連結ブロック１５によりそれぞれなされている。
【００１４】
図２は、巻取軸装置１１の断面構造を示し、その上端が調整装置Ｐの中央歯車１７との接続状態で示される。つまり、中央歯車１７と一体に連結されていても良いが、この実施形態であると、巻取軸装置１１が脱着可能となっている。
【００１５】
巻取軸装置１１は、上下枠２，３の間の寸法よりもやゝ長い巻取筒１１ａと、中心軸１９と、巻取りばね２１と、上端昇降軸装置２３と、下部軸受け２５と、下端軸２９付きの下端キャップ３０などから構成される。そして、巻取りばね２１が、上端では中心軸１９にリベット３２で固定され、下端では下部軸受け２５に嵌着固定されている。したがって、防虫網９が引き出され（巻き戻され）ると、中心軸１９に対する巻取筒１１ａの回転により、巻取りばね２１に弾力が蓄積され、把手フレーム７を解放すると、その弾力が防虫網９を巻取筒１１ａに巻き取る回転方向に作用させる。したがって、把手フレーム７が磁石２７ａ，２７ｂの吸着で縦枠４に固定されていると、防虫網９が全面に緊張する。これに緩みがあると調整装置Ｐで修正する。
【００１６】
巻取りばね２１を効かすには、中心軸１９が巻取筒１１ａの回転に動じないよう少なくとも一方向に回転が阻止されている必要がある。調整装置Ｐは、下記するように、この中心軸１９の回転阻止およびその解除等に伴う巻取りばね２１の強弱の調整のために設けられる。
【００１７】
上端昇降軸装置２３は、中央歯車１７とでクラッチを構成するもので、巻取筒１１ａの上端に嵌着される凹形の上端キャップ３１と、その凹部に落とし込まれる可動接続片３３と、落とし込みに抗するように働くコイルばね３５とから構成され、可動接続片３３は、中心軸１９の上端に嵌着されそれにリベット３７で固定される。また、コイルばね３５は、上端キャップ３１の中において中心軸１９に挿入され、上端で可動接続片３３を中心軸１９と共に上方に付勢し得るように受けている。可動接続片３３は、上端面が噛合いクラッチ面３９に形成され、その中心には端末軸４１が突設され、端末軸４１の上端にドライバー溝４３が形成される。一方、調整装置Ｐの中央歯車１７の下面中心には下部軸３８を突設し、その下端に前記クラッチ面３９と噛み合うクラッチ面４０が形成される。
【００１８】
巻取軸装置１１を取り外すときには、まず、それを持ち上げる。そうすると、コイルばね３５の弾力に抗して可動接続片３３が上端キャップ３１に引っ込んでそれに応じるから、巻取軸装置１１の持ち上げにより下端軸２９を下部連結ブロック１５から引き抜くことができ、取り付けるときには丁度逆の操作となる。したがって、巻取軸装置１１の上下操作だけでその取付け取外し操作をなしうる。この場合、極簡単な片手操作となる。
【００１９】
巻取軸装置１１の上端の端末軸４１は、中央歯車１７の軸支孔４５に挿入されることにより、網窓Ｆの上面に露出しているので、ドライバーを付けることにより中央歯車１７と共に中心軸１９を回転することができ、後記するように、この操作で巻取りばね２１を強に調整することができる。なお、４７はワンウエイクラッチ、４８がロータリダンパであって、巻取りばね２１により巻取筒１１ａが巻きに回転する速度が制御される。
【００２０】
調整装置Ｐは、収納枠１の上端にそれぞれビス止めされるプラスチック製の基盤４９と、それを封じる金属製の基プレート５１との間に装備され、それぞれに連結片４９ａ，５１ａが突設されることにより、収納枠１が上枠２に連結される。なお、下部の連結片４９ａには、防虫網９が通るスリット５３が形成されている。図３は、基プレート５１を省いて基盤４９の内部に装備される調整装置Ｐの構造を示したもので、それが前記した中央歯車１７の他に、駆動用としての小径の副歯車５０、揺動レバー５６、コイルばねとしての圧縮ばね５２が装備される。同図では、分かりやすくするために、中央歯車１７の一部が切欠される。
【００２１】
基盤４９は、図４および図５に示すように、周囲にほゞ収納枠１の断面に近い周壁５５を突設するとともに、前面において周壁５５の半部（上枠２側）を開放し、その開放口５７の奥部には前方に開口する圧縮ばね５２の収納室６１が形成され、前面閉塞壁の内側部分に揺動レバー５６の回動軸６２が突設される。また、中央には中央歯車１７の軸支孔６３が、開放口５７近くには副歯車５０の軸支孔６４がそれぞれ形成される。６５は収納枠１に固定するビスの通し孔である。また、基プレート５１にも中央歯車１７の軸支孔６３ａと、副歯車５０の軸支孔６４ａとが形成される。６６ａは収納枠１にビス止めするための通し皿孔である。なお、基盤４９と基プレート５１とを上下逆にした構造をとることも可能である。
【００２２】
中央歯車１７は、大歯車１７ａの下にラチェット歯車１７ｂが形成された複合歯車であって（図２および図３）、下部軸３８に対応して上部軸６９を有し、中心に巻取軸装置１１を支持する軸支孔４５が形成され、下部軸３８の下面にクラッチ面４０が形成される。また、揺動レバー５６は、回動軸６２を中心に屈折する「く」の字形であって、先端にラチェット７１の迎え角側に係る爪７３が形成され、基端に開放口５７に露出する押しボタン７５が突設され、その後面を圧縮ばね５２が押しているので、押しボタン７５を押すと（図７）、先端の爪７３がラチェット７１から外れるために、中央歯車１７の停止が解除される。この時適度の位置で押しを解除すると、巻取りばね２１が適度に弱に調整される。
【００２３】
つまり、このときに巻取筒１１ａを固定しておけば、巻取りばね２１の弾力による中心軸１９の回転（消極回転）で巻取りばね２１に蓄積されている弾力が緩和されるので、適当な時点で押しボタン７５を放して中心軸１９の回転を止めると、これで巻取りばね２１が弱に調整される。また、ドライバーにより中央歯車１７を回転して、中心軸１９を巻取りばね２１の弾力に抗して回転（積極回転）すると、この場合、回転を止めた時点で揺動レバー５６の爪７３が中央歯車１７のラチェット７１に確実に掛かって中心軸１９が固定されるから、巻取りばね２１が強に調整される。また、副歯車５０の軸の上部軸７７にもにもドライバー溝７９が形成されているので、副歯車５０を回転すれば歯車の倍力機構で軽く中央歯車１７を回転することができる。
【００２４】
上記の網状ないし面状スクリーンの巻取りばねの調整装置Ｐにおいては、先に説明したように、枠組体Ｆから収納枠１を取り外すことができるように組み付けてある。そこで、収納枠１とともに、その上端の調整装置Ｐはもとより、巻取軸装置１１や防虫網９、把手フレーム７を同時に脱着できる（図８参照）。
【００２５】
図８は、上記実施形態とは少し異なる実施形態に係る窓枠において収納枠１の脱着を説明したもので、（ａ）が枠組体Ｆの組立て状態を、（ｂ）が収納枠１を取り外した状態をそれぞれ示している。つまり、（ａ）は使用状態を示したもので、枠組体Ｆは、収納枠１と対向する縦枠４と、上下枠２，３とからなり、収納枠１に巻取軸装置１１が内装され、上端にその調整装置Ｐが装備される基盤４９を有する（この場合は、基プレート５１が基盤４９の下であるが図示は省略する）。基盤４９には連結片４９ｂが突設され上枠２にビス止めされ、また、下端の連結ブロック１５の連結片１５ａは下枠３に挿入されこれもビス止めされている。なお、この実施形態の場合は、巻取軸装置１１が原則として取り外しできないようになっているものとする。
【００２６】
しかし、上下ビスを外して収納枠１を外すと、それに付随して巻取軸装置１１が内装のまま取り外され（ｂ）、同時に防虫網９や把手フレーム７も同時に取り外される。したがって、この状態で収納枠１の上端の調整装置Ｐを操作して、蓋５を外した状態で巻取りばね２１（図示省略）の効き方を調整することもできるし、収納枠１内を掃除することもできる。なお、連結片４９ｂの形状は様々となるが、この場合は、角筒形であって前記実施形態と同様に防虫網９が通るスリットが形成されている。
【図面の簡単な説明】
【００２７】
【図１】この発明に係る網窓を示す一部切欠した正面図である。
【図２】同網窓における巻取軸装置を巻取りばねの調整装置の中央歯車との接続状態で示す縦断面図である。
【図３】同網窓における調整装置を一部切欠して示す平面図である。
【図４】同調整装置の基盤を示す平面図である。
【図５】図５のＡ−Ａ線矢視の断面図である。
【図６】調整装置の上部プレートを示す平面図である。
【図７】調整装置の動作状態を示す一部断面した平面説明図である。
【図８】この発明の他の実施形態として、収納枠の組み付け状態（ａ）と、組み外し状態（ｂ）を示す説明図である。
【図９】従来例の説明図である。
【符号の説明】
【００２８】
Ｆ  枠組体
Ｐ  網状ないし面状スクリーンの巻取りばねの調整装置
１  収納枠
９  スクリーンとしての防虫網
１１  巻取軸装置
１１ａ  巻取筒
１５  連結ブロック
１７  中央歯車
１７ａ  大歯車
１７ｂ  ラチェット歯車
１９  中心軸
２１  巻取りばね    
４９  基盤
４９ａ，４９ｂ  連結片
５０  副歯車
５１  基プレート
５１ａ  連結片
５２  圧縮ばね
５５  周壁
５６  揺動レバー
５７  開放口
６１  収納室
７３  爪
７１  ラチェット
７５  押しボタン
【図１】
2007247216.tif 000003
【図２】
2007247216.tif 000004
【図３】
2007247216.tif 000005
【図４】
2007247216.tif 000006
【図５】
2007247216.tif 000007
【図６】
2007247216.tif 000008
【図７】
2007247216.tif 000009
【図８】
2007247216.tif 000010
【図９】
2007247216.tif 000011